(57)【要約】【課題】外部に結露水が垂れるのを抑止でき、かつ、コンパクトな洗浄水タンク装置を提供する。【解決手段】洗浄水タンク装置１０は、洗浄水を貯水するロータンク２０と、ロータンク２０から流れ落ちる結露水を受けるための結露水受け３０と、を備える。ロータンク２０は、結露水受け３０の上方に配置される底部２２と、結露水受け３０の上方を外れた位置に配置される側面部２８と、底部２２と側面部２８とを連結する連結部２９と、を有する。連結部２９は、結露水受け３０の上方を外れた位置において側面部２８と接続される第１連結部２９ａを有する。【選択図】図４
2015190155.tif 000002
【特許請求の範囲】
【請求項１】
洗浄水を貯水するタンクと、
前記タンクから流れ落ちる結露水を受けるための水受けと、を備え、
前記タンクは、
前記水受けの上方に配置される底部と、
前記水受けの上方を外れた位置に配置される側面部と、
前記底部と前記側面部とを連結する連結部と、を有し、
前記連結部は、前記水受けの上方を外れた位置において前記側面部と接続される曲面部を有することを特徴とする洗浄水タンク装置。
【請求項２】
前記連結部は、前記曲面部と前記底部とに接続される平面部を有し、
前記曲面部と前記平面部は滑らかに接続されることを特徴とする請求項１に記載の洗浄水タンク装置。
【請求項３】
前記曲面部は、前記水受けの上方まで延在し、前記底部と接続されることを特徴とする請求項１に記載の洗浄水タンク装置。
【発明の詳細な説明】
【技術分野】
【０００１】
本発明は、洗浄水タンク装置に関し、特にタンクから流れ落ちる結露水を受けるための水受けを有する洗浄水タンク装置に関する。
【背景技術】
【０００２】
近年、トイレの室内空間を有効利用するため、洋風大便器とキャビネットを一体化したトイレユニットが提案されている。このユニットでは、大便器の後部にキャビネットが設置される。キャビネットには、物品の収納部の他に、ロータンクの収納部が設けられ、物品の収納空間を確保しつつすっきりとした外観が得られる。
【０００３】
ロータンクには、便器洗浄に利用する洗浄水が貯水される。この洗浄水の温度とトイレ室内の気温の温度差が大きくなると、タンクの外表面に結露が発生することがある。結露水は、成長して大きくなると、タンク表面から垂れ落ちる。そのため、結露水によりキャビネットに染み汚れが生じる可能性がある。
【０００４】
結露水対策のひとつとして、ロータンクの下方に結露水を受けるための水受けを設けることが知られている。従来では、例えば特許文献１に記載されるような洗浄水タンク装置が提案されている（特許文献１）。
【先行技術文献】
【特許文献】
【０００５】
【特許文献１】特開２００２−０８８８５９号公報
【発明の概要】
【発明が解決しようとする課題】
【０００６】
特許文献１に記載される装置では、ロータンクの外周を囲うように水受けが設けられるため、ロータンクの下部よりも水受けが大きくなる。つまり、結露水が洗浄水タンク装置外に垂れるのを抑止できるものの、洗浄水タンク装置は大型化する。これは、トイレの室内空間の有効利用を進める上でボトルネックとなりうる。
【０００７】
本発明はこうした状況に鑑みてなされたものであり、その目的は、外部に結露水が垂れるのを抑止でき、かつ、コンパクトな洗浄水タンク装置の提供にある。
【課題を解決するための手段】
【０００８】
上記課題を解決するために、本発明のある態様の洗浄水タンク装置は、洗浄水を貯水するタンクと、タンクから流れ落ちる結露水を受けるための水受けと、を備える。タンクは、水受けの上方に配置される底部と、水受けの上方を外れた位置に配置される側面部と、底部と側面部とを連結する連結部と、を有する。連結部は、水受けの上方を外れた位置において側面部と接続される曲面部を有する。
【０００９】
この態様によると、側面部から流れて落ちてくる結露水が曲面部を伝って水受け側に導かれる。したがって、比較的コンパクトな水受けにより結露水を受けることができる。
【００１０】
連結部は、曲面部と底部とに接続される平面部を有してもよい。曲面部と平面部は滑らかに接続されてもよい。この場合、結露水は連結部を伝ってより確実に水受け側に導かれる。
【００１１】
曲面部は、水受けの上方まで延在し、底部と接続されてもよい。この場合、結露水は曲面部を伝ってより確実に水受け側に導かれる。
【発明の効果】
【００１２】
本発明によれば、外部に結露水が垂れるのを抑止でき、かつ、コンパクトな洗浄水タンク装置を提供できる。
【図面の簡単な説明】
【００１３】
【図１】実施形態に係る洗浄水タンク装置が用いられるトイレユニットを示す斜視図である。
【図２】実施形態に係る洗浄水タンク装置を示す斜視図である。
【図３】実施形態に係る洗浄水タンク装置を示す上面図である。
【図４】図３のＡ−Ａ線断面図である。
【図５】最低水位位置における洗浄水タンク装置の水平断面図である。
【発明を実施するための形態】
【００１４】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１５】
図１は、実施形態に係る洗浄水タンク装置１０が用いられるトイレユニット１００を示す斜視図である。トイレユニット１００は、キャビネット１１０と、便器１２０と、手洗装置１３０を備える。
【００１６】
キャビネット１１０には、洗浄水タンク装置１０が収容されるタンク収納部（図示せず）が設けられ、タンク収納部の前方には前板１１１が設けられる。前板１１１の前方には便器１２０が設置される。前板１１１の左右方向両側には側板１１３が開閉可能に設けられ、側板１１３の奥側には物品収納部（図示せず）が設けられる。キャビネット１１０の上部にはカウンター１１５が設置され、カウンター１１５の左右方向の一端側には手洗装置１３０が設置される。
【００１７】
図２、３は、洗浄水タンク装置１０を示す。図２は洗浄水タンク装置１０の斜視図である。図３は洗浄水タンク装置１０の上面図である。洗浄水タンク装置１０は、ロータンク２０と、結露水受け３０と、タンクレバー４０と、を含む。
【００１８】
ロータンク２０は、便器洗浄に利用する所定量の洗浄水を貯水する。ロータンク２０は、筒部２１とその一端を塞ぐ底部２２とを有する筒状体である。筒部２１は、右側面２４と、左側面２５と、前面２６と、背面２７とを有する。底部２２の略中央には、洗浄水を便器に排出するための排出部２３が形成される。ロータンク２０内の洗浄水の温度とトイレ室内の気温との温度差が大きくなると、筒部２１の外表面に結露が発生する場合がある。結露水は、成長して大きくなると、筒部２１の外表面を伝って下方に流れ落ちる。
【００１９】
結露水受け３０は、ロータンク２０の外周を伝って流れ落ちてきた結露水を受ける。結露水受け３０は、ロータンク２０の下方に設けられる。結露水受け３０は、上面が開いた背の低い箱状で、底部３１と、底部３１の外周に沿って形成された外周壁３２とを有する。
【００２０】
図４は図３のＡ−Ａ線断面図である。
水受け３０の底部３１には、貫通孔３３と複数の排水口３４が形成される。貫通孔３３は、底部３１の略中央に形成される。この貫通孔３３にロータンク２０の排出部２３が螺合されることにより、結露水受け３０はロータンク２０に対して固定される。特に、ロータンク２０の排出部２３の外周面にはおねじが形成され、貫通孔３３の内壁には対応するめねじが形成される。複数の排水口３４は、貫通孔３３の周りに形成される。結露水受け３０に溜まった結露水は、排水口３４から便器に排水される。排水口３４は、結露水を排水できればよく、その数、形状、配置、は問わない。外周壁３２は、略鉛直方向に突出する直立壁である。
【００２１】
図４において、破線Ｈ１は洗浄水の最高水位（すなわち満水時の水位）を示す。結露はこの破線Ｈ１以下において発生する。破線Ｈ２は洗浄水の最低水位（すなわち洗浄後の水位）を示す。洗浄水の水位は、破線Ｈ１と破線Ｈ２の間で変動する。
【００２２】
図５は、最低水位位置における洗浄水タンク装置１０の水平断面図である。ロータンク２０の底部２２（一点鎖線で囲んだ部分）は、全体が、結露水受け３０の鉛直上方でかつ外周壁３２の内側（以下、「結露水受け３０の内側」ともいう）に位置するよう設けられる。一方、筒部２１は、結露水受け３０の鉛直上方を外れた位置（以下、「結露水受け３０の外側」ともいう）に位置する部分を有する。
【００２３】
このような結露水受け３０の外側の部分で発生した結露水を結露水受け３０に流れ落ちるようにするための筒部２１の構成について、右側面２４を例にとり説明する。図４に戻り、右側面２４は、側面部２８と、側面部２８と底部２２とを連結する連結部２９と、を有する。連結部２９は、第１連結部２９ａと、第２連結部２９ｂと、を有する。側面部２８、第１連結部２９ａ、第２連結部２９ｂ、底部２２はこの順に上から並び、接続される。
【００２４】
側面部２８は、平坦な板状を有し、その外周面の断面形状は直線状を有する。側面部２８は、鉛直方向に延在するよう設けられる。なお、側面部２８は、鉛直方向に対して傾斜した方向に延在する設けられてもよい。側面部２８は、結露水受け３０の鉛直上方を外れた位置に設けられる。側面部２８の外周面で発生した結露水ｗは、側面部２８の外周面を伝って下方に流れていく。
【００２５】
連結部２９は、第１連結部２９ａと、第２連結部２９ｂと、を有する。第１連結部２９ａは、平坦な板を結露水受け３０の内側に向かって湾曲した形状を有し、その外周面の断面形状は曲線状を有する。例えば、円弧状、楕円弧状、放物線状を有する。第１連結部２９ａは、側面部２８と同様、結露水受け３０の外側に設けられる。側面部２８を伝って流れてきた結露水ｗは、断面が曲線状の第１連結部２９ａを伝うことによって、鉛直下方に垂れることなく、水受け３１側に向かって流れていく。なお、第１連結部２９ａを伝う結露水ｗが鉛直下方に垂れないための最適な曲線形状、長さ等は実験により定めればよい。
【００２６】
第２連結部２９ｂは、平坦な板状を有し、その外周面の断面形状は直線状を有する。第２連結部２９ｂは、鉛直方向に対して傾斜した方向に延在するよう設けられる。特に、第２連結部２９ｂは、底部２２側の端部が結露水受け３０の内側に位置するよう設けられる。第１連結部２９ａと第２連結部２９ｂとは滑らかに接続される。別の言い方をすると、連結部２９の外周面の断面形状は滑らかな線となる。結露水ｗは、第２連結部２９ｂを伝うことによって、結露水受け３０の外側から結露水受け３０の内側に向かって流れ、結露水受け３０に垂れ落ちる。なお、第２連結部２９ｂを伝う結露水ｗが結露水受け３０の内側に達する前に垂れないための第２連結部２９ｂの最適な傾斜角度は、実験により定めればよい。
【００２７】
このようにして、結露水受け３０の外側に位置する側面部２８で発生した結露水は、側面部２８および連結部２９を伝って結露水受け３０の内側に導かれる。結露水受け３０に垂れた結露水は、排水口３４から排水される。
【００２８】
本実施の形態に係る洗浄水タンク装置１０によると、側面部２８の下端側に第１連結部２９ａが接続される。第１連結部２９ａは、結露水受け３０の内側に向かって湾曲した形状を有する。そのため、側面部２８で発生した結露水は、第１連結部２９ａを伝って結露水受け３０の内側に導かれる。したがって、側面部２８が結露水受け３０の外側に位置する場合、すなわち結露水受け３０がロータンク２０に対して比較的コンパクトな場合であっても、結露水を結露水受け３０で受けることができる。逆に言えば、結露水が洗浄水タンク装置１０外に垂れるのを抑止しつつ、結露水受け３０をコンパクトにできる。結露水受け３０がコンパクトになると、洗浄水タンク装置１０さらにはタンク収容部がコンパクトになり、例えばその分だけ物品収納部を大きくすることができる。また、結露水受け３０がコンパクトになると、その分製造コストが下がる。
【００２９】
また、本実施の形態に係る洗浄水タンク装置１０によると、第２連結部２９ｂは、第１連結部２９ａと底部２２とに接続される。特に、第２連結部２９ｂと第１連結部２９ａとは滑らかに接続される。このため、結露水は、連結部２９を伝って確実に結露水受け３０に導かれる。
【００３０】
また、本実施の形態に係る洗浄水タンク装置１０によると、結露水受け３０の外周壁３２は直立壁として形成される。そのため、例えば上方に向かって拡がるような傾斜壁の場合など直立壁でない場合と比べて、外周壁３２の外周面の面積を小さくできる。ここで、結露水受け３０に結露水が溜まると、結露水受け３０の外周面すなわち外周壁３２の外周面に結露水が付着する場合がある。これに対し、本実施の形態によれば外周壁３２の外周面の面積を小さくできるため、外周壁３２で発生しうる結露水の量を抑えることができる。
【００３１】
また、本実施の形態に係る洗浄水タンク装置１０によると、例えばロータンク２０の高さを低くするために、代わりにその幅方向を広くするような設計変更が生じた場合でも、底部２２が結露水受け３０の内側に位置し、かつ連結部２９を有するようにすれば、設計変更前のロータンク２０に利用している結露水受け３０をそのまま利用することができる。そのため、ロータンク２０に応じた結露水受け３０を用いる場合と比べ、製造コストを下げることができる。
【００３２】
以上、実施の形態に係る洗浄水タンク装置１０について説明した。これらの実施の形態は例示であり、各構成要素の組み合わせにいろいろな変形例が可能なこと、またそうした変形例も本発明の範囲にあることは当業者に理解されるところである。また、実施の形態同士の組み合わせも可能である。
【００３３】
実施の形態では、連結部２９が、第１連結部２９ａと第２連結部２９ｂとを有する場合について説明したが、これに限られない。例えば、連結部２９、第１連結部２９ａだけを有していてもよい。つまり、連結部２９が全体として、平坦な板を結露水受け３０の内側に向かって湾曲した形状を有してもよい。この場合、結露水は、結露水受け３０の外側から結露水受け３０の内側まで滑らかに続く連結部２９の曲面を伝って、確実に結露水受け３０に導かれる。
【００３４】
実施の形態では、右側面２４および左側面２５が結露水受け３０の外側に位置する部分を有する場合について説明したがこれに限られない。本実施の形態の技術的思想は、右側面２４または左側面２５のいずれか一方が結露水受け３０の外側に位置する部分を有する場合や、前面２６および背面２７の少なくとも一方が結露水受け３０の外側に位置する部分を有する場合にも適用できる。
【００３５】
実施の形態では、キャビネット１１０内に収容される洗浄水タンク装置１０を例に説明したが、これに限られず、実施の形態の技術的思想は、キャビネットに収容されない洗浄水タンク装置にも適用できる。また、実施の形態では、タンクがロータンクである場合を例に説明したが、これに限られず、実施の形態の技術的思想は、ハイタンク、その他のタンクにも適用できる。
【符号の説明】
【００３６】
１０  洗浄水タンク装置、  ２０  ロータンク、  ２１  筒部、  ２２  底部、  ２３  排出部、  ２４  右側面、  ２５  左側面、  ２６  前面、  ２７  背面、  ２８  側面部、  ２９  連結部、  ２９ａ  第１連結部、  ２９ｂ  第２連結部、  ３０  結露水受け、  ３１  底部、  ３２  外周壁、  ３３  貫通孔、  ３４  排水口、  ４０  タンクレバー。
【図１】
2015190155.tif 000003
【図２】
2015190155.tif 000004
【図３】
2015190155.tif 000005
【図４】
2015190155.tif 000006
【図５】
2015190155.tif 000007